(57)【特許請求の範囲】
【請求項１】
発光ダイオード（ＬＥＤ）のピクセルの列を備えるディスプレイの輝度を制御するためのドライバであって、
各ＬＥＤピクセルのための複数の輝度レベルを表す複数の事前充電電圧値を含む、少なくともピクセル電流のフィードスルー効果を補償するためにプログラム可能なルックアップテーブルと、
事前充電電圧を前記ＬＥＤピクセルの列へ供給するよう構成された事前充電回路と、前記事前充電電圧は前記ルックアップテーブルにおける前記複数の事前充電電圧値のひとつに等しく、
電流を前記ＬＥＤピクセルの列へ供給するよう構成されたプログラミング回路と、
前記事前充電回路および前記プログラミング回路のうち１つを、前記ＬＥＤピクセルの列へ選択的に結合するよう構成されたスイッチと
を備える、装置。
【請求項２】
複数の列に配列された発光ダイオード（ＬＥＤ）のピクセルのアレイと、
事前充電電圧を少なくとも１つのＬＥＤピクセルの列に選択的に供給するよう各々を構成した複数の事前充電回路と、
電流を少なくとも１つのＬＥＤピクセルの列に選択的に供給するよう各々を構成した複数の電流源と、を備え、
各前記事前充電回路は各ＬＥＤピクセルのための複数の輝度レベルを表す複数の事前充電電圧値を含む少なくともピクセル電流のフィードスルー効果を補償するためにプログラム可能なルックアップテーブルを含み、前記事前充電電圧は前記ルックアップテーブルにおける前記複数の事前充電電圧値のひとつに等しい、
ディスプレイ。
【請求項３】
複数の輝度レベルによって特性付けられた発光ダイオード（ＬＥＤ）のピクセルの複数の列を含むディスプレイの輝度を制御するための方法であって、前記ディスプレイは、
前記複数の輝度レベルから選択された、目標とする輝度レベルに基づき、前記ＬＥＤピクセルの列の各々に対する事前充電電圧を決定するステップと、
前記ＬＥＤピクセルの列の各々に各ＬＥＤピクセルのための複数の輝度レベルを表す複数の事前充電電圧値を含む少なくともピクセル電流のフィードスルー効果を補償するためにプログラム可能なルックアップテーブルから前記決定した事前充電電圧を供給するステップと
を含む、方法。
【発明の詳細な説明】
【技術分野】
【０００１】
本願は概してディスプレイに関係し、特に発光ダイオード（ＬＥＤ）ディスプレイのためのハイブリッドドライバに関係する。
【背景技術】
【０００２】
アクティブマトリクス発光ダイオードディスプレイは、アクティブマトリクス液晶ディスプレイと比較したとき、多くの潜在的利点を提供する。幾つかの利点は、画像の品質が優れていること、薄型であること、低消費電力であることおよび低価格であることを含むが、それらに限定されない。
【０００３】
現在は、２つの異なる方法、すなわち、電圧プログラミングおよび電流プログラミング、を使用して、アクティブマトリクス液晶ディスプレイのアドレス指定をしている。電圧プログラミング方法は、電圧プログラミングモードで動作するディスプレイドライバの大きなベースが取り付けられることにより、利益を得る。しかし、電圧プログラムされるピクセル回路は、そのディスプレイの表面を横切るピクセルＴＦＴ駆動電流の変動に対して補償をする能力の不足に悩まされており、この能力不足は、このディスプレイの輝度の不均一性を招いている。電流プログラミング方法は、そのディスプレイ表面を横切る駆動ＴＦＴ性能の変動に対して補償をすることができ、その結果、電圧プログラムされるピクセルよりも良好なディスプレイの輝度および色の均一性を生じさせる。これら理由により、電流プログラムされるピクセルは、電圧プログラムされるピクセル以上に好まれてきた。
【０００４】
上述のように好まれるにもかかわらず、電流プログラムされるＬＥＤディスプレイは、特にグレーレベルが低くなると、電圧プログラムされるピクセルよりも長いピクセルプログラミング時間を呈するようになるという１つの欠点を有している。より長いピクセルプログラミング時間が生じるのは、電流プログラムされるディスプレイが、インチあたり８０の色グループ（ＣＧＰＩ）解像度をもつ典型的な８ビットディスプレイドライバに対して、小さなプログラミング電流（例えば７．８ｎＡから２μＡ）を典型的に使用し、またはより高解像度ディスプレイにおけるより小さなピクセルサイズに対して、よりいっそう小さな電流を使用するからである。このプログラミング時間が長くなることに対する１つの理由は、ピクセルが適切にプログラムできる前に、データバス容量を充電する必要があり、そしてこのデータバス容量は、そのピクセル容量よりも有意に大きいため、これら小さな量のプログラミング電流でこのデータバス容量を充電するためには有意の時間量がかかる。電流モードの列ドライバにおいて、遅いピクセルデータプログラミング時間のこの問題を解決するため、米国特許番号７，０１２，３７８および７，１６７，４０６において説明されているように、電圧事前充電方法が発展してきた。米国特許番号７，０１２，３７８は、短い事前充電間隔の間、ディスプレイのデータバスに逐次に（行が走査されるので）固定ＤＣ事前充電電圧を印加し、それからピクセルに電流プログラミングを適用することによって、この問題に取り組んでいる。ＤＣ電圧の事前充電は、低い輝度（低いプログラミング電流）で電流プログラムされるピクセルの操作を改善する。しかし、極めて低い輝度レベル（グレーレベル）が極めて高い輝度レベルとは異なるＤＣ事前充電電圧を要求するために、この固定ＤＣ事前充電電圧は、極めて制限された範囲のディスプレイの輝度レベル（グレーレベル）に対して有用である。一方、米国特許番号７，１６７，４０６は、所望のピクセルプログラミング電流に比例した事前充電電圧を提供することにより、この事前充電電圧の有用性を拡張している。しかし、米国特許番号７，１６７，４０６に説明された方法に対しては、なお重大な欠点が存在する。１つの欠点は、赤、緑、青（Ｒ，Ｇ，Ｂ）のＬＥＤピクセルに対する駆動要求が異なること、およびピクセル電流のフィードスルー効果により、比例ＤＣ事前充電電圧の使用が、十分なディスプレイの色および輝度の均一性にならないことである。このピクセルフィードスルー電流は、そのプログラミング時間終了時のピクセルＴＦＴのスイッチング結果であり、そのＬＥＤを流れる電流を、プログラムされる値からΔＩｐだけ増加または減少させることがある。この現象は、所望のピクセル輝度より低いピクセル輝度を生成し、このΔＩｐの値は、そのピクセルのグレーレベルおよびその駆動ＴＦＴの寄生容量に従うことになる。
【特許文献１】米国特許番号７，０１２，３７８
【特許文献２】米国特許番号７，１６７，４０６
【発明の開示】
【発明が解決しようとする課題】
【０００５】
本発明は、実質的に先行技術を改良し、先行技術が提供しない操作上の柔軟性を提供し、アクティブマトリクス発光ダイオードディスプレイにおいて均一なカラーおよびグレーレベル輝度を達成する。本発明は、電圧事前充電回路をプログラムされる列ドライバの内部に統合し、電流プログラムされるピクセルの操作を最適化する新規な実際的な手段を提供し、そのディスプレイにおいて、カラーおよびグレーレベル輝度の優れた均一性を達成する。本発明はまた、プログラム可能、非プロポーショナルなルックアップテーブルを提供し、一意で最適な電圧事前充電レベルを確立し、かつ定義し、ならびにＲ，Ｇ，ＢのＬＥＤピクセルの駆動要求の差、およびピクセルプログラミング時間終了時の電流フィードスルー効果に対する補償を含むことにより、各々所望のピクセルカラーおよび輝度レベル（ピクセルグレーレベル）に対するプログラミング電流を確立し、かつ定義する。
【０００６】
したがって、データバス容量の充電に必要な時間量を低減させることによってディスプレイにおけるＬＥＤの輝度を制御するためのドライバ、ディスプレイおよび方法を提供することが望ましい。さらに、本発明の他の望ましい特徴および特性は、添付の図面および本発明のこの背景と共に、本発明の後述の詳細な説明および特許請求の範囲から明らかとなろう。
【課題を解決するための手段】
【０００７】
様々な例示実施形態は、発光ダイオード（ＬＥＤ）ピクセルの列を備えるディスプレイの輝度を制御するためのドライバを提供する。このドライバは、事前充電電圧を前記ＬＥＤの列に供給するよう構成された事前充電回路と、電流を前記ＬＥＤの列に供給するよう構成されたプログラミング回路とを備える。前記事前充電回路または前記プログラミング回路を、前記ＬＥＤの列と選択的に結合するよう構成したスイッチもまた、備えている。
【０００８】
また本発明の例示の実施形態は、複数の列に配列されたＬＥＤピクセルのアレイを備えるディスプレイを提供する。前記ディスプレイはまた、ピクセルカラーのグレーレベルに基づいた事前充電電圧およびフィードスルー電流を、少なくとも１つのＬＥＤピクセルの列に選択的に供給するよう各々を構成した複数の事前充電回路と、電流を少なくとも１つのＬＥＤピクセルの列に選択的に供給するよう各々を構成した複数の電流源とを備えている。
【０００９】
複数の輝度レベルによって特徴付けられた複数のＬＥＤピクセルの列を備えるディスプレイの輝度を制御するための方法もまた、提供される。一例示実施形態において、本方法は、前記複数の輝度レベルから選択された目標輝度レベルに基づき、前記ＬＥＤピクセルの列の各々に対する事前充電電圧を決定するステップと、前記決定した事前充電電圧を前記ＬＥＤピクセルの列の各々に供給するステップとを含んでいる。
【発明を実施するための最良の形態】
【００１０】
本発明は以後、後述の添付の図面と共に説明し、同様の数字は同様の要素を示している。
本発明の後述の詳細な説明は、単なる例示に過ぎず、本発明または本発明の用途及び使用を限定するよう意図したものではない。さらに、本発明の前述の背景または本発明の後述する詳細な説明において示される何れの理論によっても、拘束する意図はない。
【００１１】
図1は、アクティブマトリクス発光ダイオード（ＡＭＬＥＤ）ピクセル１１０のアレイ１０５を備える、先行技術のディスプレイ１００の概略図であり、このＡＭＬＥＤピクセル１１０は、複数の列１０７および行１０９に配列されている。列１０７の各々は互いに異なる列ドライバ１２０と結合し、行１０９の各々は異なる一対の行ドライバ１３０と結合している。
【００１２】
ディスプレイ１００の部分２００のより詳細な概略図である図２で示されるように、列ドライバ１２０の各々はディスプレイタイミングコントローラ２２５と結合され、このディスプレイタイミングコントローラ２２５は、ビデオデータを列ドライバ１２０へ送信するよう構成している。さらに、列ドライバ１２０の各々および一対の行ドライバ１３０の各々は、互いに関連して動作し、電流をＡＭＬＥＤピクセル１１０の各々に提供して発光させている。行１０９は、１サイクル中の時間で発光する１つの行であり、ＡＭＬＥＤピクセルの各々がオフとなるときの時間の期間（すなわち、ブランキング期間）が、連続したサイクルの間に挿入される。
【００１３】
図２がまた図示しているように、列ドライバ１２０は、ＡＭＬＥＤピクセル１１０の各々と、そのそれぞれの列１０７においてデータバス２３５を介して結合されている。データバス２３５は、複数の抵抗−コンデンサ（ＲＣ）回路２４０を備えており、このＲＣ回路２４０の各々は、抵抗性素子（例えば１つ以上の抵抗）２４７と並列に結合された容量性素子（例えば１つ以上のコンデンサ）２４４を備えている。各ＲＣ回路２４０は、さらにＡＭＬＥＤピクセル１１０のスイッチ（例えば半導体スイッチ）１１０２と（ノード１１１２を介して）結合されている。
【００１４】
スイッチ１１０２は、一対の行ドライバ１３０（図１参照）の（接地された）行ドライバ１３４と（ノード１１１５を介して）結合され、行ドライバ１３４によってＯＮ／ＯＦＦをスイッチする。スイッチ１１０２はまた、ノード１１１４と結合され、ノード１１１４はコンデンサ１１２５およびスイッチ１１０４と結合されている。スイッチ１１０４は、コンデンサ１１２５および列ドライバ１２０から（行ドライバ１３４およびスイッチ１１０２を介して）供給される電流によって、ＯＮ／ＯＦＦをスイッチする。コンデンサ１１２５はまた、ノード１１１６と結合され、ノード１１１６は電圧源１１３０の正の端子（負の端子は接地されている）とスイッチ１１０６との間に結合されている。
【００１５】
スイッチ１１０６は、一対の行ドライバ１３０（図１参照）の（接地された）行ドライバ１３８に結合され、行ドライバ１３８によってＯＮ／ＯＦＦをスイッチし、またノード１１１８と結合されている。ノード１１１８はスイッチ１１０４、スイッチ１１０６、およびスイッチ１１０８と結合されている。スイッチ１１０８は、行ドライバ１３４と（ノード１１１５を介して）結合され、行ドライバ１３４によってＯＮ／ＯＦＦをスイッチし、またノード１１１２と結合されている。
【００１６】
ＡＭＬＥＤピクセル１１０はまた、ＬＥＤ１１５０を含んでいる。
ＬＥＤ１１５０はスイッチ１１０４と結合され、電圧源１１６０（その正の端子は接地されている）の負の端子と結合されている。
【００１７】
図３は、列ドライバ１２０（図１参照）のうち、その１つの概略図である。
列ドライバ１２０はデジタル・アナログ変換器（ＤＡＣ）１２２０に結合された電圧源１２１０を備えており、このＤＡＣ１２２０はデジタル電圧をアナログ電圧に変換するよう構成されている。ＤＡＣ１２２０はまた、バッファ１２３０と結合され、このバッファ１２３０は電流変換器１２４０と結合されている。電流変換器１２４０は、ＤＡＣ１２２０によって生成された（およびバッファ１２３０によって増幅された）そのアナログ電圧から電流を発生させるよう構成される。
【００１８】
動作中、電圧源１２１０はディスプレイタイミングコントローラ２２５（図２参照）からビデオデータを受信し、所望のアナログ電圧のデジタル表現を発生し、以後、この所望のアナログ電圧のデジタル表現は、デジタル電圧と呼ぶことにする。この発生したデジタル電圧は、発光すべきＡＭＬＥＤピクセル１１０の輝度および／またはカラーに従って変動する。それからＤＡＣ１２２０は、このデジタル電圧をアナログ電圧に変換し、そしてこのアナログ電圧は、増幅のためバッファ１２３０に供給される。増幅されたアナログ電圧は、電流変換器１２３０によって電流に変換され、そして電流変換器１２３０は、一対の行ドライバ１３０から供給される電流と共に、この電流をデータバス２３５（図２参照）へ供給する。
【００１９】
図４は、ディスプレイ４００の例示実施形態の部分の概略図であり、前述したディスプレイ１００と類似する幾つかのコンポーネントを備えている。ディスプレイ４００は、列ドライバ４２０およびスイッチ４５０と結合されたディスプレイタイミングコントローラ４２５を備えている。ディスプレイタイミングコントローラ４２５は、ディスプレイ４００上で示されるべき情報に基づいて、列ドライバ４２０およびスイッチ４５０へビデオデータを送信するよう構成されている。
【００２０】
列ドライバ４２０は、プログラミング回路４３０および事前充電回路４４０を備えており、このプログラミング回路４３０および事前充電回路４４０は、スイッチ４５０を介して、ＡＭＬＥＤピクセル１１０と各々が選択的に結合されている。プログラミング回路４３０は、各々の行１０９それぞれに対する一対の行ドライバ１３０と共に、ＡＭＬＥＤ１１０に（スイッチ４５０を介して）電流を提供するよう構成されている。事前充電回路４４０は、事前充電電圧を（スイッチ４５０を介して）データバス２３５に提供するよう構成され、ＡＭＬＥＤピクセル１１０に電流を提供するプログラミング回路ならびに行ドライバ１３４および１３８に先行して、各コンデンサ２４４を事前充電する。
【００２１】
図５は、列ドライバ４２０のプログラミング回路４３０および事前充電回路４４０の一例示実施形態の概略図である。プログラミング回路４３０は、電圧源１２１０、ＤＡＣ１２２０、バッファ１２３０、および電流変換器１２４０を備え、前述の列ドライバ１２０（図３参照）に類似した構成となっている。この回路の構成および動作はすでに説明したため、そのことは再度説明されていない。
【００２２】
事前充電回路４４０は、ＤＡＣ４４２０と結合されたプログラム可能事前充電電圧源４４１０（例えば、電圧のデジタル・アナログ変換器（ＶＤＡＣ））を備えており、このプログラム可能事前充電電圧源４４１０は、デジタル電圧をアナログ電圧に変換するよう構成されている。一実施形態において、事前充電電圧源４４１０はルックアップテーブル４４１２およびメモリ４４１４を備えている。ルックアップテーブル４４１２は、複数の電圧を記憶するよう構成しており、これら複数の電圧は、そのそれぞれの列１０７における各ＡＭＬＥＤピクセル１１０に対する複数の輝度レベルに対応している。別の実施形態においては、ルックアップテーブル４４１２は個別のチップ（図示せず）上に全体的に（すなわち、「オフボード」に）実装されており、そのディスプレイの列ドライバ４２０の各々と通信している。また別の実施形態においては、ルックアップテーブル４４１２はグローバルルックアップテーブルであり、このグローバルルックアップテーブルは、列ドライバ４２０の各々のメモリ４４１４内へ（例えばパワーアップ時に）ダウンロードする。
【００２３】
記載されているように、ルックアップテーブル４４１２は複数のデジタル電圧値を備え、この複数のデジタル電圧値は、ＡＭＬＥＤピクセル１１０に対する複数の輝度レベルに対応している。例えば、ＡＭＬＥＤピクセル１１０は２５６の輝度レベルで発光することが可能であり、ルックアップテーブル４４１２は各電圧レベルに対応する個別のデジタル電圧を記憶している。すなわち、レベル０からレベル２５５の範囲にわたる輝度レベルに対して、ルックアップテーブル４４１２は、その２５６の輝度レベルに対応する２５６のデジタル電圧の値を記憶している。一実施形態において、ルックアップテーブル４４１２は約０ボルトから約１５ボルトまでの電圧値を記憶している。この例では、特に２５６レベルおよび関連する範囲の電圧を記載しているが、ルックアップテーブル４４１２は、任意の数の輝度レベルおよび様々な範囲の電圧を含むことができ、この様々な範囲の電圧は、ディスプレイ４００の所望の明るさ（輝度）に従って変動することを、本発明は予期している。すなわち本発明は、無限の数の電圧を使用し、無数のカラーおよび／または輝度レベルを生成することを予期している。
【００２４】
一例示実施形態に従うと、ルックアップテーブル４４１２は、非プロポーショナルルックアップテーブルである。すなわちルックアップテーブル４４１２は、グレーレベルに対して必要な事前充電電圧に加えて、ＡＭＬＥＤピクセル１１０のカラーおよび回路設計に関係する理想的でないディスプレイ動作特性（例えば、デルタ電流フィードスルー）を補償するための電圧値を含んでいる。特に、ＡＭＬＥＤピクセル１１０を所望の電流にプログラムするとき、そしてそれから保持モードにて動作を命令するとき、ＡＭＬＥＤピクセル１１０を流れる電流は、そのプログラムされる電流値からデルタ電流フィードスルーに等しい量だけ変化する。ＡＭＬＥＤピクセル１１０のトランジスタのゲートと、トランジスタのソースおよびドレインとの間の接続の寄生容量は、このトランジスタが動作可能なときと動作不能なときでバイアス電圧のシフトを生じさせる。これら電圧のシフトは、今度はこのプログラムされる電流値における変化を生じさせる。
【００２５】
ＡＭＬＥＤピクセル１１０が生成するカラーに関して、各カラーはダイオード（例えばダイオード１１５０）が生成し、その誘電率は任意の所与の発光材料に対して固有にできるため、固有の電気的特性を備える。ダイオード１１５０の順方向電圧もまた固有にでき、各ダイオード１１５０の導電特性は変化するであろう。任意の特性がＡＭＬＥＤピクセル１１０のプログラミングに有害に影響する程度は特徴付けられ、これら要因に基づき、ルックアップテーブル４４１２は特定の補償電圧を印加することができる。特に、プログラミング電流および事前充電電圧が決定されそしてディスプレイ４００に対して供給されるとき、ルックアップテーブル４４１２は、グレーレベル、ＡＭＬＥＤピクセル１１０の回路設計、およびＡＭＬＥＤピクセル１１０のカラーに対する補償を提供する。
【００２６】
別の実施形態において、この事前充電電圧は、表示すべきイメージの関連するグレーレベルに基づき予め決定された複数の電圧の１つである。すなわち事前充電電圧源４４１０は、ディスプレイ４００上に表示されるべき各個別のイメージのグレーレベルに基づき、ＤＡＣ４４２０に供給される事前充電電圧の量を修正するよう構成されている。
【００２７】
動作中、ディスプレイタイミングコントローラ４２５は、事前充電回路４４０をデータバス２３５に結合するよう、スイッチ４５０に命令する。ディスプレイタイミングコントローラ４２５はまた、ビデオデータを事前充電回路４４０に提供する。このビデオデータに応じて、事前充電回路４４０はルックアップテーブル４４１２を利用し、ディスプレイ４００上に表示されるべき特定のイメージのため、容量性素子２４４を充電するために必要な電圧の量を決定する。適切な事前充電電圧が決定されると、事前充電電圧源４４１０はその電圧をＤＡＣ４４２０へ供給し、ＤＡＣ４４２０はデジタル電圧をアナログ電圧に変換する。アナログ電圧は、バッファ４４３０によって増幅され、データバス２３５上の容量性素子２４４に、スイッチ４５０を介して印加される。この容量性素子が適正に事前充電されると、ディスプレイタイミングコントローラ４２５は、データバス２３５をプログラミング回路４３０と接続するようスイッチ４５０に命令する。それからプログラミング回路４３０ならびに行ドライバ１３４および１３８は、電流を各ＡＭＬＥＤピクセル１１０に提供して、アレイ１０５における個別のピクセルが適正なカラーおよび／または輝度で照明されるようにする。
【００２８】
図６は、ディスプレイ（例えばディスプレイ４００）の輝度を制御するための方法６００の一例示実施形態のフロー図である。方法６００は、１つ以上の列ドライバ（例えば列ドライバ４２０）が、ディスプレイ４００上で表示されるべきビデオデータを、ディスプレイタイミングコントローラ（例えば図４のディスプレイタイミングコントローラ４２５）から受信することによって開始する（ステップ６０５）。このビデオデータは、ディスプレイ４００のＡＭＬＥＤピクセル１１０の少なくとも１つの列１０７のカラーおよび／または輝度レベルを含んでいる。
【００２９】
それから列ドライバ４２０は、データバス（例えばデータバス２３５）上の容量（例えば容量性素子２４４）に対し必要な事前充電電圧を決定する（ステップ６１０）。この事前充電電圧は、各ＡＭＬＥＤピクセル１１０に対して要求されるカラー、デルタフィードスルー電流、および／または輝度に従って変動する。すなわち、ディスプレイ４００上で表示されるべき（そのビデオデータによって指定されるような）イメージは、列ドライバ４２０から（プログラミング回路４３０を介して）供給される電流に先立ち、容量性素子２４４を事前充電するために必要な電圧の量を決定する。一実施形態において、列ドライバ４２０は、このビデオデータにおける各ＡＭＬＥＤピクセル１１０のカラーおよび／または輝度レベルを、ルックアップテーブル（例えばルックアップテーブル４４１２）における特定のカラーおよび／または輝度を表している対応する電圧に一致させる。
【００３０】
この事前充電電圧が決定されると、列ドライバ４２０はルックアップテーブル４４１２から決定された事前充電電圧を、データバス２３５に提供し、データバス２３５上の容量性素子２４４を事前充電する（ステップ６１５）。容量性素子２４４が事前充電された後、列ドライバ４２０は、一対の行ドライバ１３０の各々と共に、ＡＭＬＥＤピクセル１１０の各列１０７に電流（例えば、プログラミング電流）を提供する（ステップ６２０）。
【００３１】
図７は、本発明の様々な実施形態の少なくとも１つの利点の例を図示したグラフ７００である。グラフ７００は、従来の列ドライバ（例えば列ドライバ１２０）を利用してのＡＭＬＥＤピクセル１１０のプログラミング時間を表す曲線７０２と、列ドライバ４２０の様々な実施形態を利用してのＡＭＬＥＤピクセル１１０のプログラミング時間を表す曲線７０４とを示している。
【００３２】
図示するように、列ドライバ４２０を利用するＡＭＬＥＤピクセル１１０のプログラミング時間は、著しく小さい。さらに列ドライバ４２０は、ＡＭＬＥＤピクセル１１０が非常に小さな量の電流でプログラムされることを可能にし、このことは、ＡＭＬＥＤピクセル１１０がより大きな範囲のカラーおよび／またはより大きな数の輝度レベルを有することを許容する。
【００３３】
本発明の前述の詳細な説明において、少なくとも１つの例示の実施形態を示してきたが、多数の変形が存在することを正しく認識すべきである。また、その１つ以上の例示の実施形態は単に例であり、如何なる方法でも、本発明の範囲、用途、または構成を限定するよう意図したものではないことは正しく認識すべきである。むしろ前述の詳細な説明は、本発明の例示の実施形態を実施するための、便利なロードマップを当業者に提供するだろう。特許請求の範囲において記載したような本発明の範囲を逸脱することなしに、例示の実施形態において説明した機能、および要素の配列における様々な変更をなすことができることは理解されよう。
【図面の簡単な説明】
【００３４】
【図１】先行技術のディスプレイの概略図である。
【図２】図１のディスプレイの部分の概略図である。
【図３】図１のディスプレイの、先行技術の列ドライバの概略図である。
【図４】本発明の一例示実施形態に従うディスプレイの部分の概略図である。
【図５】列ドライバの例示実施形態の概略図である。
【図６】本発明の一例示実施形態に従うディスプレイの、輝度を制御するための方法のフロー図である。
【図７】本発明の様々な実施形態の、少なくとも１つの利益の例を図示するグラフである。
【符号の説明】
【００３５】
１０５  ピクセル１１０のアレイ
１０７  複数の列
１０９  複数の行
１１０  ＡＭＬＥＤピクセル
１２０  列ドライバ
２００  ディスプレイ１００の部分
２３５  データバス
２４０  ＲＣ回路
１２３０  バッファ
１２４０  電流変換器
４２０  列ドライバ
４３０  プログラミング回路
４４０  事前充電回路
４４１０  プログラム可能事前充電電圧源
４４３０  バッファ
４５０  スイッチ
６００  ディスプレイの輝度を制御するための方法
７０２  従来の列ドライバを利用してのプログラミング時間を表す曲線
７０４  列ドライバ４２０の様々な実施形態を利用してのプログラミング時間を表す曲線
【図１】
0005705405.tif 000002
【図２】
0005705405.tif 000003
【図３】
0005705405.tif 000004
【図４】
0005705405.tif 000005
【図５】
0005705405.tif 000006
【図６】
0005705405.tif 000007
【図７】
0005705405.tif 000008